(57)【要約】【課題】  外観的に見栄えのする構造であって、その製造工程において蓋リングの成型に際しスライド式の金型を必要とせず、強度的に優れた蓋構造を実現する。【解決手段】  背部に軸支して炊飯器本体１の上面を開閉自在に覆う蓋を、蓋の底面となる合成樹脂製の蓋リング８と、上方に膨出する殻状であって蓋リングの上面を覆う合成樹脂製の蓋本体９とで構成する。蓋リング８の外周縁部分に外方へ向けて突出する係止爪19を複数位置に形成するとともに、蓋本体９は全体の肉厚に比較して外周縁部分を厚肉に形成し、厚肉に形成した外周縁部分の内側面に蓋リング８に形成した係止爪19が係合する凹窩20を形成する。これにより、係止爪19や凹窩20が外観的に見えなくなるとともに、蓋３の外周部分の強度が向上する。【選択図】  図４
2005143651.tif 000002
【特許請求の範囲】
【請求項１】
背部に軸支して炊飯器本体の上面を開閉自在に覆う蓋を、蓋の底面となる合成樹脂製の蓋リングと、上方に膨出する殻状であって前記蓋リングの上面を覆う合成樹脂製の蓋本体とで構成し、蓋リングの外周縁部分に外方へ向けて突出する係止爪を複数位置に形成するとともに、蓋本体は全体の肉厚に比較して外周縁部分を厚肉に形成し、該厚肉に形成した外周縁部分の内側面に前記蓋リングの複数位置に形成した係止爪が係合する凹窩を形成したことを特徴とする炊飯器における蓋構造。
【請求項２】
蓋リングの外周縁と蓋本体の下端内周縁が密接する形状であって、蓋リングの外周縁部分から外方に突出させた突出部分全体が、蓋本体の内周面に形成した凹窩に挿入されることを特徴とする請求項１記載の炊飯器における蓋構造。
【発明の詳細な説明】
【技術分野】
【０００１】
本発明は、背部に軸支して炊飯器本体の上面を開閉自在に覆う蓋であって、蓋が底面となる合成樹脂製の蓋リングと、上方に膨出する殻状であって前記蓋リングの上面を覆う合成樹脂製の蓋本体とで構成する炊飯器の蓋構造に関する発明である。
【背景技術】
【０００２】
従来、炊飯器の蓋リングと蓋本体との組み立て構造として、図９に示すように蓋本体Ｂの開口端内周部分の複数位置に係止爪Ｃを突出させるとともに、蓋リングＡに係止爪Ｃが係合する係合段部Ｄを形成する方法や、図10に示すように蓋本体Ｂの内周面に係止爪Ｅを突出させ、蓋リングＡに前記係止爪Ｅが嵌合する凹窩Ｆを形成する構造が知られている。
【特許文献１】特開平８−４５０号公報
【特許文献２】特開２０００−２０４６３１号公報
【特許文献３】実開平７３０９２５号公報
【発明の開示】
【発明が解決しようとする課題】
【０００３】
図９に示す従来の構造では、係止爪Ｃ及び係止爪Ｃの係合段部Ｄが外観に現れ見栄えがよくない欠点があった。また、図10に示す従来構造では、係止爪Ｅが外観に現れるという欠点は解消されるが、その製造工程上、蓋本体Ｂ及び蓋リングＡのいずれの成型に際してもスライド式の金型を必要とし、製造コストが上昇するという欠点があった。
さらに、図９及び図10のいずれの従来技術においても蓋本体Ｂの係止爪ＣやＤ部分の構造は強度的に強靭ではないため、蓋本体Ｂの強度、特に保形性の強度を得るには、蓋本体Ｂ全体の肉厚を大きくしておく必要があった。
【０００４】
上記、従来技術の欠点に鑑み、本発明は外観的に見栄えのする構造であって、その製造工程において蓋リングの成型に際しスライド式の金型を必要としない蓋構造を実現することを目的とするものである。また、本発明の別の目的は、従来のものに比較して強度的にも優れ、しっかりとした丈夫な蓋構造を安価に実現することである。
【課題を解決するための手段】
【０００５】
本発明は、背部に軸支して炊飯器本体１の上面を開閉自在に覆う蓋３を、蓋３の底面となる合成樹脂製の蓋リング８と、上方に膨出する殻状であって前記蓋リング８の上面を覆う合成樹脂製の蓋本体９とで構成するものである。そして、前記目的を達成するために、請求項１記載の本発明は、蓋リング８の外周縁部分に外方へ向けて突出する係止爪19を形成するとともに、蓋本体９は全体の肉厚に比較して外周縁部分を厚肉に形成し、厚肉に形成した外周縁部分の内側面に蓋リング８に形成した係止爪19が係合する凹窩20を形成するものである。
【０００６】
本発明の請求項２記載の発明は、蓋リング８の外周縁と蓋本体９の下端内周縁が密接する形状であって、蓋本体９の内周面に形成する凹窩20に蓋リング８に突出形成した係止爪19の全体が挿入されるようにしたものである。
【発明の効果】
【０００７】
請求項１記載の本発明炊飯器における蓋構造によれば、蓋本体９に蓋リング８を装着した状態で係止爪19が蓋本体９に形成した凹窩20に入り込み、係止爪19が隠れて外観的に見栄えのよいものとすることができる。そして、殻状に形成する蓋本体９は、その外周縁部分を厚肉に形成することによって強度、特に保形性を向上し、しっかりとしたものとすることができる。このことは、殻状に形成する蓋本体９全体の肉厚を多少薄いものとしても十分に大きな強度を得ることができることになる。
【０００８】
請求項２記載の発明によれば、蓋リング８の外周縁と蓋本体９の下端内周縁が密接する形状であって、なおかつ蓋リング８に形成する係止爪19が蓋本体９に形成する凹窩20に完全に隠れるように、凹窩20と係止爪19の大きさを選定する。これにより、外観をより一層向上させることができる。
【発明を実施するための最良の形態】
【０００９】
以下、本発明に係る炊飯器の蓋構造の実施形態を添付の図面に基づいて説明する。
図１は、本発明を実施する炊飯器全体の縦断面図、図２は、蓋を開けた状態の炊飯器全体の斜視図、図３は図１の中央縦断面図、図４は図３の部分拡大図である。
【００１０】
この炊飯器は、炊飯器本体１の内部に釜２を収容し、炊飯器本体１内部に収容した釜２の上面を、炊飯器本体１背部に軸支した開閉自在の蓋３で覆うものである。炊飯器本体１は、側面を形成する胴４と、底面を形成する底体５及び炊飯器本体１上面を形成する肩体６で構成し、それぞれ合成樹脂材で成型する。本体１には、肩体６の中心部に穿設した大きな貫通孔に連続させて釜収容部７を形成し、釜収容部７に収容した釜２は、ヒータや電磁誘導加熱などの加熱手段によって加熱することができる。
【００１１】
炊飯器本体１背部に軸支される蓋３は、蓋３の底面を形成する蓋リング８とその上面を覆う蓋本体９で構成する。蓋リング８には、釜２とのシール手段を設けるとともに、蒸気通路10を設けることによって釜２を加熱して炊飯の調理を行うことができる。
図示実施形態の炊飯器では、蓋リング８の底面に蓋ヒータ11によって加熱される加熱板12を設け、加熱板12に接触する態様で放熱板13を蓋リング８に対して着脱自在に装着し、放熱板13に設けたパッキン14を釜２の上端に密接させている。これにより、炊飯時に発生する蒸気は、放熱板13と加熱板12と蓋リング８及び蓋本体９を連通するように形成した蒸気通路10から器外に放出されるとともに、蓋ヒータ11の熱が放熱板13に伝わって補助的な加熱を行うことができ、蓋３の内面における結露を防止することができる。
【００１２】
炊飯器本体１の背部には、蓋３のヒンジ構造が形成されている。すなわち、図１に示すように、肩体６背部に内側に窪ませた凹所15を形成するとともに、胴４の前記凹所15に接する部分をＵ字状に切除することによって凹所15が露出する状態としている。器外に露出する態様である凹所15において、蓋３は本体１に対してヒンジ軸16によって開閉自在に軸支し、ヒンジバネ17によって常時開蓋方向に付勢している。蓋３を開蓋方向に付勢することは、炊飯器の一般的な態様である。蓋３を本体１に軸支するには、前記炊飯器本体１背部に形成した凹所15内において、肩体６に金属製の支持金具をビス止めその他の固定手段によって固定し、この支持金具に蓋３の背部をヒンジ軸16によって装着する。すなわち、蓋リング８の背部には、図６に示すように、一定間隔を隔てて一対のヒンジ軸支持部8a，8bを突出形成し、該ヒンジ軸支持部8a，8b部分でヒンジ軸16の両端を支持させている。
【００１３】
上記、炊飯器本体１に蓋リング８を組み立てた状態では、蓋２の上面に蓋リング８の上面が露出した状態であるとともに、炊飯器本体１背部のヒンジ構造部分も露出している状態であるため、蓋リング８を炊飯器本体１に軸支させた状態で、蓋リング８に対して蓋本体９を装着することによって、蓋リング８の上面を覆うことができるとともに、蓋本体９の背部に舌片状のカバー片18を突出させておくことによって、炊飯器本体１背部の凹部15に露出しているヒンジ構造部分を覆い、外観を向上させることができる。すなわち、蓋本体９に舌片状のカバー片18を突出させることによって、従来使用していたヒンジカバーを省略している。この場合、蓋３の開閉にともなってカバー片18が回動するため、凹部15内はカバー片18を回動させることができる広さとしている。
【００１４】
蓋本体９は、蓋リング８に対して上方から押え込むようにして簡単に装着することかできる。すなわち、図６に示すように蓋リング８の外周縁部分に適当な間隔を隔てて複数の係止爪19，19を突出させるとともに、図５に示すように殻状に形成する蓋本体９の開放端内周縁部分に、前記蓋リング８の外周縁部分に形成した係止爪19が係合する凹窩20，20を形成している。これにより、蓋リング８の上方から蓋本体９を押圧すると、蓋本体９は弾性変形によって少し広がって蓋リング８が蓋本体９の内面に押し込まれ、蓋リング８の係止爪19が蓋本体９の凹窩20の位置に達すると、蓋リング８の係止爪19が蓋本体９の凹窩20に嵌り込む。このようにして、蓋リング８と蓋本体９は、簡単かつ確実に組立てることができる。
【００１５】
蓋リング８は、外周部分を一段上方に形成する段付きとしている。すなわち蓋リング８の外周部分に立ち上がり部8Cを設け、立ち上がり部8cの上端部分に外鍔21を形成し、該外鍔21の外周縁に係止爪19を突出させている。蓋リング８の内方部分には大きな凹部22を形成するとともに、凹部22内に円形リブ23を立設し、円形リブ23に支持させるようにして、加熱板12を装着している。加熱板12の下面には、加熱板12と接する態様で放熱板13を配置し、放熱板13に装着したパッキン14を釜２の開口縁部分に当接させる。放熱板13を蓋３に装着するには、支持枠13aに放熱板13を支持させた放熱板セットとし、この放熱板セットを蓋リング８に対して着脱自在とすることによって、加熱板12と接する所定位置に放熱板13を簡単にセットすることができる。
【００１６】
蓋本体９は、全体を緩やかに膨らむ殻状とし、図５に示すように外周縁部分を厚肉に形成している。すなわち、蓋本体９は緩やかな膨らみで形成し、外周縁部分における曲面の接線方向が水平方向と鋭角をなすように形成しているため、必然的に周縁部分における水平方向の肉厚が、厚肉となる。このように厚肉に形成される蓋本体９の内周面には、開口端から僅か上方位置、すなわち蓋リング８の板厚分だけ上方位置に凹窩20を形成する。この凹窩20は、前記蓋リング８の外周縁から突出する係止爪19の位置と一致させてある。これにより、蓋リング８の係止爪19が蓋本体９の凹窩20に嵌り込んで、蓋リング８の下端面と蓋本体９の下端面が一致する状態で確実に装着できる。  
【００１７】
図６に示す蓋リング８を合成樹脂材で成型する場合、係止爪19の成型に関しては、上下方向の金型によって成型することができ、スライド式の金型を必要としない。一方、図５に示す蓋本体９を合成樹脂材で成型するには、凹窩20の成型に際して内外方向に移動するスライド式の金型を利用して成型する。このように、蓋リング８と蓋本体９の成型に際して蓋本体９の成型にのみスライド式の金型を用いる。
【００１８】
合成樹脂材で成型する蓋リング８と蓋本体９の外形寸法は、係止爪19の一部が凹窩20に挿入される態様であっても、蓋リング８と蓋本体９は組み立てることができるものであるが、図示実施形態においては、蓋リング８の外形と蓋本体９の内周部の形状を一致させるとともに、凹窩20の大きさを係止爪19の大きさよりも僅かに大きく成型している。これにより、係止爪19が凹窩20内に完全に挿入され、蓋リング８と蓋本体９を装着した状態において、図７に示すように蓋リング８と蓋本体９の間に隙間なく、係止爪19や凹窩20が露出することがない。このことは、図２に示すように炊飯器を使用する上において、蓋を開けたときに外観がすっきりと纏められて美感を向上させることができるものである。
【００１９】
図７は、蓋リング８と蓋本体９を組み立て、加熱板12を装着した状態、すなわち蓋セットの底面図である。この状態では、前記したように蓋リング８と蓋本体９の係止構造が露出しない(図面上係止爪と凹窩の位置を点線で表示している)とともに、加熱板12部分に加熱板12と放熱板13との間において蒸気通路を形成するためのパッキン24が現れている。パッキン24によってシールされる蒸気通路は、蓋本体９に穿設した蒸気孔25に連通して、器外に通じる。
【００２０】
なお、図示実施形態の炊飯器は、蓋リング８の一部が炊飯器本体１の肩体６に形成した窪みに入り込み、蓋リング８の外鍔21の底面が炊飯器本体１の上端に支持されるようになっている。したがって、蓋３は炊飯器本体１の上面に蓋本体９が僅かに膨らむ態様に現れるため、従来の炊飯器のように炊飯器本体１の側面から蓋の側面が連続的に立ち上がる態様ではなく、薄い蓋が炊飯器本体１の上面に載置される印象となっている。このように、従来の炊飯器とは全く異なる外観の炊飯器を実現している。また、炊飯器本体１の背面部に従来の炊飯器のようにヒンジカバーがなく、全体として蓋３及び蓋のヒンジ構造が目立たない意匠の炊飯器として纏められている。
【００２１】
以上述べたように、本発明に係る炊飯器における蓋構造では、厚肉に形成される蓋本体９の周縁部分において蓋リング８に形成した係止爪19が係合して嵌合されることになるため、蓋２全体として大きな強度を得ることができることになるとともに、外観を向上させることができるものである。
【図面の簡単な説明】
【００２２】
【図１】図１は、本発明を実施する炊飯器全体の縦断面図、
【図２】図２は、蓋を開けた状態の炊飯器全体の斜視図、
【図３】図３は、図１の中央縦断面図、
【図４】図４は、図３の部分拡大図、
【図５】図５は、蓋本体の底面図、
【図６】図６は、蓋リングの底面図、
【図７】図７は、蓋本体と蓋リングを組み立て、加熱板を装着した蓋セットの底面図、
【図８】図８は、蓋セットと炊飯器本体上部の部分拡大断面図、
【図９】図９は、蓋本体と蓋リングの係合部分を拡大断面で示す、従来の炊飯器における蓋セットの底面図の略図、
【図１０】図１０は、従来の炊飯器の蓋本体と蓋リングの、別の係合構造の一例を示す部分拡大断面図。
【符号の説明】
【００２３】
１…炊飯器本体、  ２…釜、  ３…蓋、  ４…胴、  ５…底体、  ６…肩体、  ７…釜収容部、  ８…蓋リング、  8a，8b…ヒンジ軸支持部、  8c…立ち上がり部、  ９…蓋本体、  10…蒸気通路、  11…蓋ヒータ、  12…加熱板、  13…放熱板、  13a…支持枠、  14…パッキン、  15…凹所、  16…ヒンジ軸、  1７…ヒンジバネ、  18…カバー片、  19…係止爪、  20…凹窩、  21…外鍔、  22…凹部、  23…円形リブ、  24…パッキン、  25…蒸気孔。
【図１】
2005143651.tif 000003
【図２】
2005143651.tif 000004
【図３】
2005143651.tif 000005
【図４】
2005143651.tif 000006
【図５】
2005143651.tif 000007
【図６】
2005143651.tif 000008
【図７】
2005143651.tif 000009
【図８】
2005143651.tif 000010
【図９】
2005143651.tif 000011
【図１０】
2005143651.tif 000012